(57)【要約】【課題】椅子や座席においても、好適に振動マッサージと叩きマッサージを受けることができるマッサージ機を得る。【解決手段】偏芯重りを回転駆動するモータにより振動を発生させる振動源１と、プランジャーを直線駆動するソレノイドにより叩き運動をさせる叩き源２とを、クッション体４内に配置した。また、平板状のフレーム１４に振動源１と叩き源２とを取り付け、フレーム１４は平行に並べた２つの横板状ばね体１４ａと、横板状ばね体１４ａに掛け渡した縦板状体１４ｂとを備え、横板状ばね体１４ａに振動源１を取り付け、縦板状体１４ｂに叩き源２を取り付けた。カバー３４にはトルマリンあるいは炭を含ませた。【選択図】  図１
2005261588.tif 000002
【特許請求の範囲】
【請求項１】
偏芯重りを回転駆動するモータにより振動を発生させる振動源と、プランジャーを直線駆動するソレノイドにより叩き運動をさせる叩き源とを、クッション体内に配置したことを特徴とするマッサージ機。
【請求項２】
平板状のフレームに前記振動源と前記叩き源とを取り付けたことを特徴とする請求項１に記載のマッサージ機。
【請求項３】
前記フレームは平行に並べた２つの横板状ばね体と、該横板状ばね体に掛け渡した縦板状体とを備え、前記横板状ばね体に前記振動源を取り付け、前記縦板状体に前記叩き源を取り付けたことを特徴とする請求項２に記載のマッサージ機。
【請求項４】
前記クッション体を覆うカバーあるいは前記クッション体に取り付けたシートにトルマリンあるいは炭を含ませたことを特徴とする請求項１ないし請求項３に記載のマッサージ機。
【請求項５】
前記叩き源は、前記プランジャーの先端に叩きホルダーが取り付けられると共に、該叩きホルダーを突き出し方向に付勢するコイルスプリングを設けたことを特徴とする請求項１ないし請求項４に記載のマッサージ機。
【発明の詳細な説明】
【技術分野】
【０００１】
本発明は、２種類のマッサージを施すことができるマッサージ機に関する。
【背景技術】
【０００２】
従来より、２種類のマッサージを施すことができるマッサージ機として、特許文献１にあるように、モータを駆動し振動板を振動して振動マッサージを施す。また、振動板に開口を形成し、打撃体をソレノイドとコイルスプリングとにより往復運動させて、叩きマッサージを施すことができるものが提案されている。
【特許文献１】特開２００３−２９９７０６
【発明の開示】
【発明が解決しようとする課題】
【０００３】
こうした従来のものでは、床面にマッサージ機を置いて、振動板に足裏を乗せると、好適な振動マッサージと叩きマッサージとの２種類のマッサージを好適に受けられる。しかし、椅子や座席に沿わせてマッサージ機を置こうとしても、マッサージ機の本体が強固な筐体で形成されており、椅子や座席に沿って置くことができず、好適なマッサージを受けることができない場合があるという問題があった。
【０００４】
本発明の課題は、椅子や座席においても、好適に振動マッサージと叩きマッサージを受けることができるマッサージ機を提供することにある。
【課題を解決するための手段】
【０００５】
かかる課題を達成すべく、本発明は課題を解決するため次の手段を取った。即ち、
偏芯重りを回転駆動するモータにより振動を発生させる振動源と、プランジャーを直線駆動するソレノイドにより叩き運動をさせる叩き源とを、クッション体内に配置したことを特徴とするマッサージ機がそれである。
【０００６】
また、平板状のフレームに前記振動源と前記叩き源とを取り付けた構成としてもよい。更に、前記フレームは平行に並べた２つの横板状ばね体と、該横板状ばね体に掛け渡した縦板状体とを備え、前記横板状ばね体に前記振動源を取り付け、前記縦板状体に前記叩き源を取り付けた構成としてもよい。前記クッション体を覆うカバーあるいは前記クッション体に取り付けたシートにトルマリンあるいは炭を含ませてもよい。前記叩き源は、前記プランジャーの先端に叩きホルダーが取り付けられると共に、該叩きホルダーを突き出し方向に付勢するコイルスプリングを設けた構成としてもよい。
【発明の効果】
【０００７】
前述したように本発明のマッサージ機は、椅子や座席においても、クッション体が変形して、ゴツゴツした感触を与えることなく、好適に２種類のマッサージを受けることができるという効果を奏する。また、振動源と叩き源とを平板状のフレームに取り付けることにより、フレームを設けてもゴツゴツした感触を与えることなく、好適にマッサージを受けることができる。
【発明を実施するための最良の形態】
【０００８】
以下本発明を実施するための最良の形態を図面に基づいて詳細に説明する。
図１に示すように、１は振動源で、２は叩き源であり、振動源１と叩き源２とは、共に、クッション体４の内部に配置されており、本実施形態では、振動源１が２つ、叩き源２が２つ配置されている。また、これら２つずつの振動源１と叩き源２とは一列に並べて配置され、２つの振動源１が外側に、２つの叩き源２が内側に配置されている。
【０００９】
振動源１はモータ６と、モータ６に取り付けられた偏芯重り８とを備え、これらはケース１０内に収納されている。ケース１０は、上ケース１０ａと下ケース１０ｂとに分割されており、上ケース１０ａと下ケース１０ｂとを重ね合わせることにより、モータ６が内部に収納されると共に、ケース１０内に固定される。また、上ケース１０ａには、突部１０ｃが形成されている。
【００１０】
ケース１０には、偏芯重り８と反対側の外側にＵ字形に折り曲げられた板ばねを用いた弾性体１２の一端が取り付けられており、弾性体１２の他端は、平板状の可撓性を有するフレーム１４に取り付けられている。この弾性体１２の弾性変形により、ケース１０の突部１０ｃが平板状のフレーム１４に対して略直交方向に振動できるように配置されている。
【００１１】
フレーム１４は平行に並べられた２つの横板状ばね体１４ａと、この横板状ばね体１４ａの中央側で掛け渡された２つの縦板状体１４ｂとを備え、フレーム１４が平板状に形成されている。横板状ばね体１４ａは板ばねにより形成されており、縦板状体１４ｂは鉄板等から形成されている。
【００１２】
弾性体１２の他端は、２つの横板状ばね体１４ａの一方に、かつ縦板状体１４ｂよりも外側に取り付けられている。縦板状体１４ｂには、そのほぼ中央にそれぞれ叩き源２が取り付けられている。叩き源２は、図３に示すように、縦板状体１４ｂに取り付けられたソレノイド１６を備え、ソレノイド１６を励磁するとプランジャー１８が押し出される。
【００１３】
プランジャー１８の先端には、叩きホルダー２０が装着されており、叩きホルダー２０とソレノイド１６側に設けられたばね受け２２との間に設けられたコイルスプリング２４により、プランジャー１８が突き出し方向に付勢されている。プランジャー１８の往復動方向は、平板状のフレーム１４に対して略直交方向となるように配置されている。尚、叩きホルダー２０の表面には、叩きクッション２６が取り付けられている。
【００１４】
フレーム１４は、受けクッション体４ａ上に配置されており、受けクッション体４ａは取付クッション体４ｂ上に配置されている。受けクッション体４ａと取付クッション体４ｂとにはケース１０とソレノイド１６とを収納する収納孔２８が形成されている。そして、受けクッション体４ａと取付クッション体４ｂを取り囲むようにして巻きクッション体４ｃが設けられており、振動源１の突部１０ｃと叩き源２の叩きクッション２６とがクッション体４の外側に露出するようにされている。
【００１５】
本実施形態では、受けクッション体４ａ、取付クッション体４ｂ、巻きクッション体４ｃによりクッション体４を構成しており、クッション体４内には、更に、制御装置３０やトランス３２も収納されている。更に、クッション体４はカバー３４により全体が覆われており、カバー３４には、トルマリンあるいは炭が含まされている。尚、カバー３４にトルマリンあるいは炭を含ませる場合に限らず、トルマリンあるいは炭を含ませたシートをクッション体４に貼り付けるようにしてもよい。
【００１６】
次に、前述した本実施形態のマッサージ機の作動について説明する。
電源が投入されると、モータ６が回転駆動されて、偏芯重り８が回転駆動され、また、ソレノイド１６が励磁・非励磁を繰り返され、プランジャー１８が直線的に往復運動される。偏芯重り８の回転により、モータ６を介してケース１０が振動し、弾性体１２に支えられたケース１０が振動して、突部１０ｃを患部に当てることにより、振動マッサージを受けることができる。
【００１７】
また、使用時にコイルスプリング２４が使用者の患部に押されて縮み、ソレノイド１６を励磁すると、プランジャー１８が押し出されて、叩きホルダー２０、叩きクッション２６が突き出される。ソレノイド１６を非励磁にすると、患部に押されてコイルスプリング２４が縮み、プランジャー１８が引き込まれる。このプランジャー１８の往復運動により、叩きホルダー２０が往復運動をして、叩きホルダー２０により叩きマッサージを受けることができる。モータ６とソレノイド１６とは同時に駆動してもよいが、選択的に一方のみを駆動したり、あるいは、モータ６とソレノイド１６との駆動を交互に繰り返すようにしてもよい。
【００１８】
マッサージ機を椅子や座席に沿って置いた場合には、マッサージ機が椅子や座席に沿ってクッション体４が変形すると共に、使用者の身体に沿って変形して、振動源１と叩き源２とが使用者の患部に適切に当てられて、好適な振動マッサージ、叩きマッサージを受けることができる。
【００１９】
また、振動源１と叩き源２とを平板状のフレーム１４に取り付けることにより、フレーム１４を設けてもゴツゴツした感触を与えることなく、好適にマッサージを受けることができる。横板状ばね体１４ａは可撓性があるので、身体等に沿って変形しやすく、縦板状体１４ｂは変形することなく叩き源２の反力を確実に受けて、プランジャー１８の往復運動による叩きマッサージを好適に実施できる。
【００２０】
従って、使用者が椅子や座席に腰掛けて、マッサージ機を患部に当てても、クッション体４、可撓性のあるフレーム１４によりゴツゴツした感触がなく、振動マッサージと叩きマッサージとを同時に、あるいは、いずれか一方のマッサージを好適に受けることができる。
【００２１】
また、カバー３４にトルマリンを含ませると、遠赤外線放射の効果により、患部が暖められて、マッサージ効果が促進される。カバー３４に炭を含ませると、空気清浄効果が得られ、爽快な気分が得られて、マッサージ効果が促進される。
【００２２】
以上本発明はこの様な実施形態に何等限定されるものではなく、本発明の要旨を逸脱しない範囲において種々なる態様で実施し得る。
【図面の簡単な説明】
【００２３】
【図１】本発明の一実施形態としてのマッサージ機の上側のクッション体を取り除いた正面図である。
【図２】図１のＡＡ拡大断面図である。
【図３】図１のＢＢ拡大断面図である。
【符号の説明】
【００２４】
１…振動源              ２…叩き源
４…クッション体        ４ａ…受けクッション体
４ｂ…取付クッション体  ４ｃ…巻きクッション体
６…モータ              ８…偏芯重り
１０…ケース            １０ｃ…突部
１２…弾性体            １４…フレーム
１４ａ…横板状ばね体    １４ｂ…縦板状体
１６…ソレノイド        １８…プランジャー
２０…叩きホルダー      ２４…コイルスプリング
３４…カバー
【図１】
2005261588.tif 000003
【図２】
2005261588.tif 000004
【図３】
2005261588.tif 000005